(57)【要約】【課題】  映像を偏光眼鏡をかけたときに見ることができるその中に隠されている像（潜像）を映像表示システムでは、偏光板の物理的な加工が必要で、潜像が逐次変化する場合に対応できなかった。【解決手段】  ２つの画像投映装置と、偏光手段と、表示用画像データ生成装置とを備える。表示用画像データ生成装置は、原画像データと潜像データとから、第１の画像投映装置に入力し、原画像に潜像を重畳した表示用画像データと、第２の画像投映装置に入力する。原画像に潜像を重畳することによって損なわれる部分を補うような表示用画像データを生成する。画像投映装置各々は、入力された表示用画像データを、対応する画素がスクリーン上で互いに同じ位置に表示されるように、所与のパラメタに基づいて画像変換手段を用いて変換し、画像投映手段を用いて投映する。２つの画像投映装置が投映した映像光が互いに異なる偏光状態となるように、偏光手段を通して偏光する。【選択図】図１
2005286455.tif 000002
【特許請求の範囲】
【請求項１】
第一の画像変換手段と第一の画像投映手段とを有する第一の画像投映装置と、第二の画像投映手段を有する第二の画像投映装置と、前記第一の画像投映装置の投映光を偏光する第一の偏光手段と、前記第二の画像投映装置の投映光を偏光する第二の偏光手段と、表示用画像データ生成装置とを備える映像表示システムであって、
該表示用画像データ生成装置は、原画像データと潜像データとを入力として、原画像に潜像を重畳した第一の表示用画像データを生成して前記第一の画像投映装置に出力するとともに、原画像に潜像を重畳することによって損なわれる部分を補うような第二の表示用画像データを生成して前記第二の画像投映装置に出力し、
前記第一の画像投映装置は、前記第一の表示用画像データを、前記第一の画像投映装置が投映する映像と前記第二の画像投映装置が投映する映像との間の位置関係が正しくなるように、所与のパラメタに基づいて前記第一の画像変換手段で変換を施した後に前記第一の画像投映手段から投映し、
前記第二の画像投映装置は、前記第二の表示用画像データを前記第二の画像投映手段から投映し、さらに、前記第二の偏光手段は前記第一の偏光手段とは異なる偏光を施すことを特徴とする、映像表示システム。
【請求項２】
請求項１に記載の映像表示システムであって、前記第一の画像投映装置が、前記第一の画像投映装置が投映する映像と前記第二の画像投映装置が投映する映像との間の位置および色合いおよび明るさの関係が正しくなるように、所与のパラメタに基づいて前記第一の画像変換手段で前記第一の表示用画像データに変換を施した後で前記第一の画像投映手段から投映するようにしたことを特徴とする、映像表示システム。
【請求項３】
請求項２に記載の映像表示システムであって、前記表示用画像データ生成装置が、さらに、前記第一の画像投映装置の光学特性データと、前記第二の画像投映装置の光学特性データの、少なくとも一方を備え、前記表示用画像データ生成装置は、該光学特性データに基づいて、第二の表示用画像データを生成するようにしたことを特徴とする、映像表示システム。
【請求項４】
第一の画像投映装置と、第二の画像投映装置と、表示用画像データ生成装置と、を備え、
前記表示用画像データ生成装置は、原画像データと潜像データとを受け、原画像に潜像を重畳した第一の表示用画像データを生成して前記第一の画像投映装置に出力するとともに、原画像に潜像を重畳することによって損なわれる部分を補うような第二の表示用画像データを生成して前記第二の画像投映装置に出力し、
前記第一の画像投映装置は、前記第一の表示用画像データを、前記第一の画像投映装置が投映する映像と前記第二の画像投映装置が投映する映像との間の位置関係が正しくなるように、所与のパラメタに基づいて変換されたデータをスクリーンに投映し、
前記第二の画像投映装置は、前記第二の表示用画像データを前記スクリーンに投映することを特徴とする、映像表示システム。
【発明の詳細な説明】
【技術分野】
【０００１】
本発明は、映像を表示するシステム、特に、表示された映像を偏光眼鏡をかけて見たときにだけその中に隠されている像（潜像）を見ることができるような映像表示システムに関する。
【背景技術】
【０００２】
表示された映像を偏光眼鏡をかけて見たときにだけ、潜像を見ることができる画像表示システムが、特許文献１で開示されている。
【０００３】
【特許文献１】特開２００３―１０７４０６号公報「画像表示システム」
【発明の開示】
【発明が解決しようとする課題】
【０００４】
従来システムにおいては、偏光板の物理的な加工が必要であるため、潜像が逐次変化する場合に対応できないという課題があった。
【０００５】
本発明の目的は、該課題に対し、逐次変化する潜像（例えば映画の字幕など）にも対応可能な映像表示システムを提供することにある。
【課題を解決するための手段】
【０００６】
本発明では、前記課題を解決するため、２つの画像投映装置を備え、各々の該画像投映装置の映像を、偏光手段を通して互いに異なる偏光状態（例えば、「縦方向の直線偏光」と「横方向の直線偏光」）とした上で、スクリーン上の同じ場所に重ねて投映するようにした。その際、第１の画像投映装置と第２の画像投映装置から同じ画像データを投映した場合にはスクリーン上の同じ位置に同じ色合いで表示できるようにするために、各々の画像投映装置は画像投映手段に加えて画像変換手段を備えるようにし、画像投映装置に入力された表示用画像データに対して、スクリーンとプロジェクタとの関係からあらかじめ計測あるいは計算により求められている所与のパラメタに基づいて、該画像変換手段によって幾何学的な変形と色合い及び明るさの補正を施した後に画像投映手段から投映するような構成とした。また、偏光眼鏡をかけていないユーザにも見せたい原画像データと、偏光眼鏡をかけたユーザにだけ見せたい潜像データとから、各々の画像投映装置に入力する表示用画像データを逐次生成するための、表示用画像データ生成装置を備える構成とした。
【０００７】
このような構成とすることで、偏光眼鏡をかけていないユーザには２つの画像投映装置の投映する映像の両方を見せることができ、偏光眼鏡をかけたユーザには第２の画像投映装置の投映する映像を遮断して第１の画像投映装置の投映する映像だけを見せることができるため、偏光眼鏡をかけたユーザにだけ見せたい画像、つまり潜像を重畳した画像を第１の画像投映装置から投映し、潜像を重畳したことで損なわれる部分を第２の画像投映装置から投映して補うようにすることで、偏光眼鏡をかけたユーザにだけ潜像を見せることができる。また、その際、物理的な加工を伴わず、画像データだけの加工で対応できるため、潜像データが逐次変化する場合に対しても対応することができる。
【発明の効果】
【０００８】
本発明によれば、偏光眼鏡をかけたユーザだけに潜像を見せることができる映像表示システムを、潜像データが逐次変化する場合においても提供することができる。これにより、本発明のシステムを、例えばプロンプター装置としても使用することが可能となる。
【発明を実施するための最良の形態】
【０００９】
以下、本発明の実施形態について実施例を用いて説明する。
【実施例１】
【００１０】
本実施例は、プレゼンテーションシステムに適用するに好適な例である。
【００１１】
図１は本実施例のシステムのシステム構成図である。
【００１２】
図１において、コマンド入力手段７０はユーザからの「ページめくり」などのコマンド情報を受け取るものである。コマンド入力手段７０はコマンド情報を受け取ると、該コマンド情報（コマンド情報７０１）を原画像データ供給手段２０と潜像データ供給手段３０に送信する。
【００１３】
原画像データ供給手段２０は、所与の時間間隔Ｔ１ごとにコマンド情報７０１の受信の有無を判定し、コマンド情報７０１を受け取っている場合には現在の状態２００とコマンド情報７０１とに基づいて原画像データベース２１から適切な原画像データ２０１を選択して表示用画像データ生成装置１０に送信し、コマンド情報７０１を受け取っていない場合には現在の状態２００のみに基づいて原画像データベース２１から適切な原画像データ２０１を選択して表示用画像データ生成装置１０に送信する。原画像データベース２１は、例えば、プレゼンテーションに用いるスライド集であり、その場合、原画像データ２０１はそのうちの１枚のスライドである。
【００１４】
潜像データ供給手段３０は、原画像データ供給手段２０と同じく所与の時間間隔Ｔ１ごとにコマンド情報７０１の受信の有無を判定し、コマンド情報７０１を受け取っている場合には現在の状態３００とコマンド情報７０１とに基づいて潜像データベース３１から適切な潜像データ３０１を選択して表示用画像データ生成装置１０に送信し、コマンド情報７０１を受け取っていない場合には現在の状態３００のみに基づいて潜像データベース３１から適切な潜像データ３０１を選択して表示用画像データ生成装置１０に送信する。潜像データ３０１は、原画像データ２０１と同じ大きさの２値（０と１）の画像データである。潜像データベース３１は、例えば、プレゼンテーションに用いる個々のスライドに対するメモ画像データ集であり、その場合、潜像データ３０１は原画像データ２０１に対応するメモ画像データである。ここで、「メモ画像データ」とは、対応するスライドのプレゼンテーション時の注意点やセリフなどを原画像データと同じサイズの２値画像データとして表したものである。
【００１５】
表示用画像データ生成装置１０は、原画像データ供給手段２０から逐次供給される原画像データ２０１を蓄積する入力用フレームバッファ１０１２と、潜像データ供給手段３０から逐次供給される潜像データ３０１を蓄積する入力用フレームバッファ１０１３と、フレームバッファ１０１２及びフレームバッファ１０１３の内容に基づいて画像投映装置４０に供給する潜像付き画像データ１０２７及び画像投映装置４１に供給する補填用画像データ１０２８を生成する表示用画像データ生成手段１０２と、前記潜像付き画像データ１０２７を表示用画像データ４０２として、前記補填用画像データ１０２８を表示用画像データ４１２として、それぞれ画像投映像装置４０及び画像投映像装置４１に向けて出力する表示用画像データ出力手段１０３とを備えるものである。表示用画像データ生成手段１０２の詳細については、図２〜図４において説明する。
【００１６】
画像投映装置４０は、画像投映手段４００と画像変換手段４０１とを備え、表示用画像データ生成装置１０から入力される表示用画像データ４０２を画像変換手段４０１で変換した上で画像投映手段４００を使ってスクリーン６０に投映するものである。同様に、画像投映装置４１は、画像投映手段４１０と画像変換手段４１１とを備え、表示用画像データ生成装置１０から入力される表示用画像データ４１２を画像変換手段４１１で変換した上で画像投映手段４１０を使ってスクリーン６０に投映するものである。画像変換手段４０１および画像変換手段４１１は、表示用画像データ４０２と表示用画像データ４１２とが同一のものである場合に画像投映装置４０から投映される映像と画像投映装置４１から投映される映像とがスクリーン６０上で同じ位置に同じ色合い・同じ明るさで表示されるように、あらかじめ与えられた変換パラメタにしたがって表示用画像データの変換を行う。この変換パラメタは、画像投映装置４０と画像投映装置４１と偏光手段５０と偏光手段５１とスクリーン６０の特性と配置とだけに依存して求められるものであり、表示用画像データの内容には依存しないため、計測あるいは計算により、あらかじめ求めておくことが可能である。
【００１７】
偏光手段５０は画像投映装置４０の投映光に偏光を施すものであり、例えば光を縦方向に偏光する直線偏光フィルタである。また、偏光手段５１は画像投映装置４１の投映光に偏光手段５０とは異なった偏光を施すものであり、例えば光を横方向に偏光する直線偏光フィルタである。ユーザは、偏光手段５１によって偏光された光を遮断するような偏光眼鏡を装着することにより、画像投映装置４０によって投映される映像だけを選択して見ることができる。
【００１８】
図２は本実施例における表示用画像データ生成装置１０のシステム構成図である。図２において図１と同じ符号は図１と同じものを表す。以下、図２を用いて、表示用画像データ生成手段１０２の構成について詳細に説明する。
【００１９】
表示用画像データ生成手段１０２は、演算処理装置１０２１と、記憶手段１０２２とを備えるものである。記憶手段１０２２は、表示用画像データ生成プログラム１０２３と、原画像データ１０２４と、潜像データ１０２５と、画素値反転潜像データ１０２６と、潜像付き画像データ１０２７と、補填用画像データ１０２８とを記憶するものである。
【００２０】
原画像データ１０２４は表示用画像データ生成プログラム１０２３によって入力用フレームバッファ１０１２から読み取られ、記憶手段１０２２に記憶される。また、潜像データ１０２５は表示用画像データ生成プログラム１０２３によって入力用フレームバッファ１０１３から読み取られ、記憶手段１０２２に記憶される。また、画素値反転潜像データ１０２６と潜像付き画像データ１０２７と補填用画像データ１０２８は、表示用画像データ生成プログラム１０２３の出力するデータである。
【００２１】
表示用画像データ生成プログラム１０２３は、図３において詳細に説明する表示用画像データ生成処理を、演算処理装置１０２１を用いて、所与の時間間隔Ｔ２ごとに実行するものである。時間間隔Ｔ２は時間間隔Ｔ１に比べて同じか小さい値である。
【００２２】
表示用画像データ出力手段１０３は、所与の時間間隔Ｔ３ごとに潜像付き画像データ１０２７と補填用画像データ１０２８とを読み出し、読み出した潜像付き画像データ１０２７を表示用画像データ４０２として画像投映像装置４０に、読み出した補填用画像データ１０２８を表示用画像データ４１２として画像投映像装置４１に、それぞれ出力する。ここで、時間間隔Ｔ３は時間間隔Ｔ２に比べて同じか小さい値である。
【００２３】
図３は本実施例における表示用画像データ生成処理のフローチャートである。該表示用画像データ生成処理は、表示用画像データ生成プログラムが所与の時間間隔Ｔ２で実行する１回分の処理に相当するものである。
【００２４】
表示用画像データ生成処理が開始されると、まず、ステップ８００において、入力用フレームバッファ１０１２から原画像データ１０２４を読み込む。次に、ステップ８０１において、入力用フレームバッファ１０１３から潜像データ１０２５を読み込む。
【００２５】
次に、ステップ８０２において、潜像データ１０２５から２値の画像データである画素値反転潜像データ１０２６を生成する。具体的には、まず、画素値反転潜像データ１０２６の大きさを、潜像データ１０２５の大きさと同じになるように設定する。次に、潜像データ１０２５の画素位置（ｘ，ｙ）の画素値を読み込み、読み込んだ画素値が０であれば１を、１であれば０を、画素値反転潜像データ１０２６の画素位置（ｘ，ｙ）の画素値として設定する。ｘとｙを変えながら該画素値設定処理を繰り返し、画素値反転潜像データ１０２６のすべての位置の画素に関して画素値が決定した段階で、ステップ８０２を終了する。
【００２６】
次に、ステップ８０３において、潜像付き画像データ１０２７を生成する。具体的には、まず、潜像付き画像データ１０２７の大きさを、原画像データ１０２４の大きさと同じになるように設定する。次に、原画像データ１０２４の画素位置（ｘ，ｙ）の画素値と潜像データ１０２５の画素位置（ｘ，ｙ）の画素値とを読み込み、読み込んだ２つの画素値の積を、潜像付き画像データ１０２７の画素位置（ｘ，ｙ）の画素値として設定する。ｘとｙを変えながら該画素値設定処理を繰り返し、潜像付き画像データ１０２７のすべての位置の画素に関して画素値が決定した段階で、ステップ８０３を終了する。
【００２７】
次に、ステップ８０４において、補填用画像データ１０２８を生成する。具体的には、まず、補填用画像データ１０２８の大きさを、原画像データ１０２４の大きさと同じになるように設定する。次に、原画像データ１０２４の画素位置（ｘ，ｙ）の画素値と画素値反転潜像データ１０２６の画素位置（ｘ，ｙ）の画素値とを読み込み、読み込んだ２つの画素値の積を、補填用画像データ１０２８の画素位置（ｘ，ｙ）の画素値として設定する。ｘとｙを変えながら該画素値設定処理を繰り返し、補填用画像データ１０２８のすべての位置の画素に関して画素値が決定した段階で、ステップ８０４を終了する。
【００２８】
ステップ８０４が終了した段階で、表示用画像データ生成処理を終了する。
【００２９】
図４は本実施例のシステムにおける画像データの内容を説明する図である。
【００３０】
図４において、原画像データ２０１は偏光眼鏡をかけていないユーザにも提示したい画像データであり、潜像データ３０１は偏光眼鏡をかけたユーザにだけ提示したい画像データである。
【００３１】
表示用画像データ４０２は、表示用画像データ生成装置１０が原画像データ２０１と潜像データ３０１とを入力として潜像付き画像データ１０２７として生成し画像投映装置４０に対して供給したものであり、表示用画像データ４１２は、表示用画像データ生成装置１０が原画像データ２０１と潜像データ３０１とを入力として補填用画像データ１０２８として生成し画像投映装置４１に対して供給したものである。
【００３２】
このとき、偏光眼鏡をかけていないユーザが観賞する映像は映像６０１となり、画像投映装置４１の投映する映像を遮断するような偏光眼鏡をかけたユーザが観賞する映像は映像６０２となる。
【００３３】
以上、本実施例によれば、画像投映装置４１の投映する映像を遮断するような偏光眼鏡をかけたユーザにだけ見せたい画像、つまり潜像を重畳した画像を画像投映装置４０から投映し、潜像を重畳したことで損なわれる部分を画像投映装置４１から投映して補うようにすることで、潜像データ３０１が逐次変化する場合でも、偏光眼鏡をかけたユーザにだけ、逐次変化する潜像を見せることが可能である。
【００３４】
なお、前記実施例においては、表示用画像データ生成装置１０が入力用フレームバッファ１０１２と入力用フレームバッファ１０１３を備えるような構成としたが、本発明における表示用画像データ生成装置１０はこれに限るものではない。表示用画像データ生成プログラム１０２３の処理は本質的に画素単位で実施することができるため、原画像データ供給手段２０からの入力映像信号と潜像データ供給手段３０からの入力映像信号との同期がとれている場合には、入力用フレームバッファ１０１２及び入力用フレームバッファ１０１３を省略した構成とすることもできるし、同期が最大Ｎライン分ずれる可能性がある場合には、ラインバッファを（Ｎ＋１）ライン分だけ備えた構成とすることもできる。
【００３５】
また、前記実施例においては潜像データベース３１は原画像データ２０１と同じサイズの潜像データ３０１の集合として与えたが、本発明における潜像データベース３１はこれに限るものではない。例えば、潜像データ供給手段３０が、文字列データとフォントデータと表示位置データとからなるデータ集合を、原画像データ２０１と同じサイズの潜像データ３０１に変換するような手段を備え、潜像データベース３１を、文字列データとフォントデータと表示位置データとで構成し、潜像データ供給手段３０が表示用画像データ生成装置１０に潜像データ３０１を供給しようとする際に、初めて画像データの形に変換するような構成としてもよい。
【００３６】
また、潜像データ供給手段３０が、文字列データとフォントデータと表示位置データとからなるデータ集合を、原画像データ２０１と同じサイズの潜像データ３０１に変換するような手段を備え、潜像データ供給手段３０が表示用画像データ生成装置１０に潜像データ３０１を供給しようとする際に、初めて画像データの形に変換するような構成とした場合には、あらかじめ潜像データベース３１に登録された潜像のほかに、例えばスライドをめくっている補助員からの「あと５分」などのメッセージを、コマンド入力手段７０に対応するキーボードを介して入力し、それを変換して表示することも可能である。
【００３７】
また、前記実施例においては潜像データ３０１は２値の画像データであるとしたが、本発明における潜像データ３０１はこれに限るものではなく、例えば、画像データが赤・緑・青の３つのプレーンで成り立っている場合、潜像データ３０１をその各々の色プレーンに対して２値の画像データとして構成し、表示用画像データ生成装置１０における処理を、各々の色プレーンに対して独立に行うようにしてもよい。
【００３８】
また、表示用画像データ生成装置１０が、画像投映装置４０の光学特性データ４０３（入力画像データの画素値に対する表示映像の色合い・明るさを表すデータ）と画像投映装置４１の光学特性データ４１３とを備えるようにし、光学特性データ４０３及び光学特性データ４１３に基づいて表示用画像データ４１２を生成するようにしてもよい。このような構成とすることにより、スクリーン６０上の特定の位置に特定の色合い・特定の明るさの映像を表示するための、画像投映装置４０から投映する映像の色合い・明るさと、画像投映装置４１から投映する映像の色合い・明るさを、多様な組み合わせで実現することができるため、潜像データ３０１として多値の画像データを扱うことができる。なお、本発明においては、光学特性データ４０３と光学特性データ４１３とは略一致するため、いずれか一方で他方を代用するようにしてもよい。
【００３９】
また、前記実施例においては、画像投映装置４０と画像投映装置４１のいずれもが画像変換手段を備えていたが、本発明におけるシステム構成はこれに限るものではない。例えば、画像投映装置４１の投映する映像を位置・色合い・明るさの基準とすることで、画像投映装置４０だけが画像変換手段を備えるような構成とすることもできる。
【実施例２】
【００４０】
以下、図５と図６を用いて本発明の第2の実施の形態について詳細に説明する。
【００４１】
図５は本実施例のシステムのシステム構成図である。図５において図1と同じ符号は図1と同じものを表す。
【００４２】
図５において、表示用画像データ生成装置１０は、潜像付き画像データ１０２７を表示用画像データ４０２として画像変換手段４０１に向けて出力し、補填用画像データ１０２８を表示用画像データ４１２として映像遅延手段４３１に向けて出力する。画像変換手段４０１は、表示用画像データ４０２と表示用画像データ４１２とが同一のものである場合に画像投映手段４２０から投映される映像と画像投映手段４３０から投映される映像とがスクリーン６０上で同じ位置に同じ色合い・同じ明るさで表示されるように、あらかじめ与えられた変換パラメタにしたがって表示用画像データの変換を行うものである。この変換パラメタは、実施例１と同様にあらかじめ求めておいてもよい。
【００４３】
また、映像遅延手段４３１は、所与の遅延時間パラメタにしたがって、入力された映像を遅らせて出力するものである。具体的には、画像変換手段４０１が表示用画像データ４０２に変換を施すために要する時間だけ、表示用画像データ４１２を映像投映手段４３０に供給するのを遅らせることで、画像投映手段４２０から投映される映像と画像投映手段４３０から投映される映像のフレーム単位でのずれを吸収する。通常、画像変換手段４０１が変換に要する時間は、画像変換手段４０１にあらかじめ与えられている変換パラメタのみに依存するので、前記遅延時間パラメタは、画像変換手段４０１に与える変換パラメタが決まった時点であらかじめ求めておくことができる。
【００４４】
本実施例の特徴は、同期手段９１を備え、画像投映手段４２０と画像投映手段４３０と液晶シャッタ眼鏡９０の同期を取るようにしたことにある。同期手段９１は一定の時間間隔で同期信号を発生する同期信号生成手段９１１と、同期信号生成手段９１１が生成した同期信号を画像投映手段４２０と画像投映手段４３０と液晶シャッタ眼鏡９０に送信する同期信号送信手段９１２を備える。画像投映手段４２０は同期信号受信手段４２０１を備え、同期信号送信手段９１２が送信した同期信号を受信し、受信した同期信号に基づいて画像の投映を行う。同様に、画像投映手段４３０は同期信号受信手段４３０１を備え、同期信号送信手段９１２が送信した同期信号を受信し、受信した同期信号に基づいて画像の投映を行う。液晶シャッタ眼鏡９０は、同期信号受信手段９０１を備え、同期信号送信手段９１２が送信した同期信号を受信し、受信した同期信号に基づいて左目用液晶シャッタ９０２の状態と右目用液晶シャッタ９０３の状態を制御する。ここで、液晶シャッタ眼鏡９０の状態は「透過状態」と「遮断状態」の2通りであり、液晶シャッタ眼鏡９０が透過状態の場合、左目用液晶シャッタ９０２及び右目用液晶シャッタ９０３のいずれもが透過状態、すなわち液晶シャッタ眼鏡９０をかけたユーザがスクリーン６０上の映像を見られる状態となり、液晶シャッタ眼鏡９０が遮断状態の場合、左目用液晶シャッタ９０２及び右目用液晶シャッタ９０３のいずれもが遮断状態、すなわち液晶シャッタ眼鏡９０をかけたユーザにスクリーン６０上の映像が見えない状態となる。なおここで、同期信号の具体的な送受信手段は、有線のものであっても無線のものであってもよく、同期信号に対する画像投映手段４２０と画像投映手段４３０と液晶シャッタ眼鏡９０の動作については図６を用いて詳細に説明する。
【００４５】
図６は本実施例における映像表示と眼鏡の状態の関係を示すタイミングチャートである。
【００４６】
図６において、タイミング４２１は画像投映手段４２０の映像表示タイミングであり、タイミング４３１は画像投映手段４３０の映像表示タイミングであり、タイミング９０１は液晶シャッタ眼鏡９０の状態遷移タイミングである。画像投映手段４２０と画像投映手段４３０と液晶シャッタ眼鏡９０は、同期手段９１からの同期信号によって、該タイミングチャートに従った動作を行う。
【００４７】
まず、時刻ｔ＝０から時刻ｔ＝１までの間、画像投映手段４２０は第１フレームを表示し、画像投映手段４３０は黒を表示し、液晶シャッタ眼鏡９０は透過状態となる。このとき、液晶シャッタ眼鏡９０をかけたユーザには、潜像付きの映像の第１フレームが見えている。
【００４８】
次に、時刻ｔ＝１から時刻ｔ＝２までの間、画像投映手段４２０は黒を表示し、画像投映手段４３０は第１フレームを表示し、液晶シャッタ眼鏡９０は遮断状態となる。このとき、液晶シャッタ眼鏡９０をかけたユーザには、補填用の映像の第１フレームは見えていない。
【００４９】
以下、同様にして第２フレーム、第３フレーム、と順次表示されていくが、液晶シャッタ眼鏡９０をかけたユーザには常に「潜像付きの映像は見えるが補填用の映像は見えない」状態が保持される。一方、液晶シャッタ眼鏡９０をかけていないユーザは当然、潜像付きの映像も補填用の映像も見えている状態にあり、すなわち、映像６０１が見えていることになる。
【００５０】
なお、上記図６の説明においては動作内容を分かりやすくするために表示する画像フレームに第１フレーム、第2フレーム等の番号をつけたが、本実施例のシステムでは、フレーム単位でのずれに関しては映像遅延手段４３１によって調整がなされているため、画像投映手段４２０と画像投映手段４３０はフレーム番号を意識する必要はなく、単純に「供給された映像を表示する」状態と「黒を表示する」状態とを同期信号に合わせて交互に遷移するだけでよい。
【００５１】
以上、本実施例によれば、液晶シャッタ眼鏡９０をかけたユーザにだけ見せたい画像、つまり潜像を重畳した画像を画像投映手段４２０から投映し、潜像を重畳したことで損なわれる部分を画像投映手段４３０から投映して補うようにし、同期手段９１によって液晶シャッタ眼鏡９０が画像投映手段４３０から投映される映像のみを遮断するようにタイミングを合わせることで、潜像データ３０１が逐次変化する場合でも、液晶シャッタ眼鏡９０をかけたユーザにだけ、逐次変化する潜像を見せることが可能である。
【００５２】
なお、前記実施例においては画像投映手段４２０と画像投映手段４３０の２台の画像投映手段を備える構成としたが、これを画像投映手段４２０だけを備える構成とすることもできる。その場合、前記実施例において、画像投映手段４２０が黒を表示する代わりに、同時刻に画像投映手段４３０が表示していた映像を表示するようにすればよい。なお、画像投映手段を１台だけとした構成では、異なる画像投映手段の間の映像の位置合わせなどが不要となるため、画像変換手段４０１も不要である。
【００５３】
また、前記実施例においては液晶シャッタ眼鏡９０として左目用液晶シャッタと右目用液晶シャッタを備える一人用の眼鏡を用いたが、これを、１つの大きな液晶シャッタを備えるパネルのような形状のもの（以下、液晶シャッタパネルと呼ぶ）とすることもできる。その場合、複数のユーザが同時に該液晶シャッタパネルを通して映像を見ることができるため、逐次変化する潜像を複数のユーザに対して同時に見せることができる。例えば、本発明を映画館で使用する場合に、「字幕付鑑賞席」を設け、該字幕付鑑賞席に座った複数のユーザからは前記液晶シャッタパネル越しにスクリーンが見えるように座席配置を設計することで、字幕付鑑賞席において映像を鑑賞するユーザには潜像（この場合は字幕）付きの映像を提供し、その他のユーザには潜像を含まないオリジナルの映像を提供することができる。
【００５４】
以上、第１の実施例並びに第２の実施例を用いて説明したとおり、本発明は「ユーザが鑑賞する映像全体の中に、特徴が異なる２つの映像領域を設けることで、眼鏡をかけたユーザにだけ潜像を見せる」という点では従来の技術とまったく同じである。しかし、従来技術ではまず１つの映像を表示してから２つの特徴を作り出しているのに対し、本実施例ではまず特徴が異なる２つの映像領域のそれぞれに対応する表示用画像データを生成し、それぞれの表示用画像データを投映することで特徴の違いを作り出している点が本質的に大きく異なっている。そのため、本実施例によれば、偏光板の物理的な加工など逐次性を阻害する要素を必要とせず、潜像が逐次変化する場合においてもデジタルデータを加工するだけで目的を達することができる。
【図面の簡単な説明】
【００５５】
【図１】実施例１のシステムのシステム構成図である。
【図２】実施例１における表示用画像データ生成装置１０のシステム構成図である。
【図３】実施例１における表示用画像データ生成処理のフローチャートである。
【図４】実施例１のシステムにおける画像データの内容を説明する図である。
【図５】実施例２のシステムのシステム構成図である。
【図６】実施例２における表示映像と眼鏡の状態の関係を示すタイミングチャートである。
【符号の説明】
【００５６】
１０  表示用画像データ生成装置
４０、４１  映像投映装置
２０１  原画像データ
３０１  潜像データ
４０２  映像投映装置４０に入力する表示用画像データ
４１２  映像投映装置４１に入力する表示用画像データ
６０１  偏光眼鏡をかけていないユーザが観賞する映像
６０２  偏光眼鏡をかけたユーザが観賞する映像
【図１】
2005286455.tif 000003
【図２】
2005286455.tif 000004
【図３】
2005286455.tif 000005
【図４】
2005286455.tif 000006
【図５】
2005286455.tif 000007
【図６】
2005286455.tif 000008